(57)【特許請求の範囲】
【請求項１】
船（３）とターミナル（５）の間に電力線（１）を接続するための装置において、
牽引ケーブル（１３）を前記船（３）から前記電力線（１）の接続端部（１５）に向けて巻き出すための巻き出し手段（７）と、
前記牽引ケーブル（１３）を前記接続端部（１５）に縛るための捕縛手段（９）と、
前記電力線を前記船（３）に向けて引っ張り、前記接続端部（１５）を前記船（３）の電気的インターフェース（１７ａ）と接続するための牽引手段（１１）と、を備え、前記接続端部（１５）を前記電気的インターフェース（１７ａ）に向けて誘導し、前記船と前記ターミナルの間に電気的連結を提供するための誘導手段（４１ａから４１ｄ）を更に含んでおり、
前記接続端部（１５）を含む前記電力線（１）の端末部分（３３）を支持するための艀（３１）であって、前記船の船体（３７）との接触に対する防護手段（３５）を含んでいる艀を含んでいることを特徴とする装置。
【請求項２】
前記電力線（１）の少なくとも一部分を水面下に保持するための浮き手段（２１）を含んでいることを特徴とする、請求項１に記載の装置。
【請求項３】
前記電力線が前記船（３）から切断され、前記牽引ケーブル（１３）が解放された時に、前記電力線（１）を前記ターミナル（５）に向けて戻すための戻し手段（２７）を含んでいることを特徴とする、請求項１又は２に記載の装置。
【請求項４】
前記艀（３１）の船体は、前記電力線（１）の前記端末部分（３３）を前記艀の下に格納できるようにする開口部（７３）を含んでいることを特徴とする、請求項１から３の何れかに記載の装置。
【請求項５】
前記電力線の前記端末部分（３３）は、前記艀（３１）に格納され、二重壁被覆（３６）を含んでいることを特徴とする、請求項１から３の何れかに記載の装置。
【請求項６】
前記艀（３１）は、前記電力線（１）の水上部分を取り囲むガスケット（６３）を含み、前記船の前記船体（３７）、前記艀（３１）の前記船体、及び水面と協働して外側に対して気密性を有する区域（６７）を形成するケーソン（６１）を含んでいることを特徴とする、請求項１から５の何れかに記載の装置。
【請求項７】
前記気密区域の圧力を上昇させるための、前記船（３）又は前記艀（３１）に設置されている送風機であって、ガスを含んでいない区域から空気を取り込む送風機を含んでいることを特徴とする、請求項６に記載の装置。
【請求項８】
前記気密区域に不活性ガスを充填するための不活性ガス源を含んでいることを特徴とする、請求項７に記載の装置。
【請求項９】
前記牽引手段（１１）は、前記牽引ケーブル（１３）を使用して前記電力線の前記接続端部（１５）を引っ張るために前記船（３）に設置されたウィンチ（４５）を備えていることを特徴とする、請求項１から８の何れかに記載の装置。
【請求項１０】
前記牽引手段（１１）は、前記電力線の重量を相殺するための懸垂手段（６９）を含んでいることを特徴とする、請求項１から９の何れかに記載の装置。
【請求項１１】
ターミナル（５）と電気的に連結するための電気的インターフェース（１７ａ）を含んでいる船において、
牽引ケーブル（１３）を、前記ターミナルと接続されている電力線（１）の接続端部（１５）に向けて巻き出すための巻き出し手段（７）と、
前記牽引ケーブルを前記接続端部に縛るための捕縛手段（９）と、
前記接続端部を前記電気的インターフェースと接続するために、前記電力線を前記船に向けて引っ張るための牽引手段（１１）と、を備え、前記船の船体は、前記電力線を通すための管路（８１、９１）を含んでおり、
前記電力線の前記接続端部を前記電気的接続インターフェース（１７ａ）のソケット手段（５１）に向けて誘導するためにドッキング手段を含む誘導手段（４１ａから４１ｄ）を含んでいることを特徴とする船。
【請求項１２】
前記管路が吃水線より下で開口していることを特徴とする、請求項１１に記載の船。
【請求項１３】
前記牽引ケーブルの端部は、水中ブイ（８５）を含んでいることを特徴とする、請求項１２に記載の船。
【請求項１４】
前記船の船体（３７）は、前記電力線を通すための、吃水線より下で開口している管路（９１）を含んでおり、前記管路は、ガス気密覆い（９３）によって延長されていることを特徴とする、請求項１１に記載の船。
【請求項１５】
前記管路（９１）は、水密防護ハッチ（５４）を含んでいることを特徴とする、請求項１１から１４の何れかに記載の船。
【請求項１６】
前記電気的接続インターフェースは、水密防護覆い（５３）を含んでいることを特徴とする、請求項１１から１５の何れかに記載の船。
【請求項１７】
前記船の水密扉（４９）を通ってアクセスできる制御ステーション（４７）を含んでいることを特徴とする、請求項１１から１６の何れかに記載の船。
【発明の詳細な説明】
【技術分野】
【０００１】
本発明は、船とターミナルの間に電力線を接続する分野に関する。より厳密には、メタンタンカーとガスターミナルの間に電力線を接続することに関する。
【背景技術】
【０００２】
船と港の間に電力線を接続することは、例えば、船が港内で自らの発電機ユニットを作動させるのを回避するために、巡航船を地元の幹線配電網に接続するために現在使用されるやり方で、よく知られている。
【０００３】
図９は、船と港の間に電力線を接続するための先行技術による装置の極めて図式化された図である。
【０００４】
この装置は、１つ又はそれ以上のコネクタ１１５で終端している１つ又はそれ以上のケーブルで構成された電力線１０１を備えている。電力線１０１は、懸垂線１１８とクレーン１２２上を移動させることができるシステム１２０とによってカラー１１６を介して支持されている。
【０００５】
この装置は、こうして、港５で、電気配電盤１１７を現地の配電網に接続する働きをする。接続の際は、船３が着岸すると、電力線１０１が船３まで渡され、乗組員は、１つ又はそれ以上の投げ綱１２４を用いて電力線１０１のコネクタ１１５を船上に引っ張り上げ、配電盤１１７まで持って行く。コネクタ１１５は、手動で配電盤１１７に接続される。
【０００６】
このような次第ではあるが、この接続装置は幾つかの欠点を呈している。
【０００７】
接続作業は、長時間を要し（通常１時間を越える）且つ困難であり、乗組員にとって危険な場合もあり、悪天候状態の下では不可能な場合すらある。
【０００８】
更に、この種の接続は、メタンタンカーとターミナルに適用される安全要件に適合しておらず、具体的には、速やかに切断できることが必要とされており、更に、周囲が起爆性を有しているため、電力を周囲から隔離する必要があるからである。
【０００９】
更に、この型式の接続を介して送ることのできる電力は、通常１５メガワット（ＭＷ）未満に限られているが、メタンタンカーに装備されている必要出力は、３０ＭＷに達することもある。
【発明の開示】
【課題を解決するための手段】
【００１０】
このような次第で、本発明は、船とターミナルの間に安全且つ迅速に電力線を接続するための方法及び装置を提案することにより、先に述べた欠点を軽減することを模索するものである。
【００１１】
上記目的は、船とターミナルの間に電力線を接続するための装置によって達成され、当該装置は、
牽引ケーブルを船から前記電力線の接続端部に向けて巻き出すための巻き出し手段と、
前記牽引ケーブルを前記接続端部に縛るための捕縛手段と、
前記電力線を船に向けて引っ張り、前記接続端部を船の電気的インターフェースと接続するための牽引手段と、を備えている。
【００１２】
この様に、電力線は、牽引ケーブルによってターミナル側の保管区域から、船の電気的インターフェースに接続させるため容易に引き出すことができる。更に、緊急切断は、牽引ケーブルを巻き出して、牽引ケーブルの端部を解放することで、船をターミナルから完全に切り離すという簡易なやり方で達成することができる。
【００１３】
本発明の１つの態様では、接続装置は、前記電力線の少なくとも一部を水面下に保持するための浮き手段を含んでいる。
【００１４】
水中に在ることで、電力線は、潜在的な起爆性を有する大気内で作業を実行する危険に曝されることがない。而して、安全性は、特にメタンタンカーとターミナルに適用される安全要件に完全に適合する。
【００１５】
接続装置は、前記出力線が船から切断され、牽引ケーブルが解放された時に、電力線をターミナルに向けて戻すための戻し手段を含んでいてもよい。
【００１６】
このようにして、出力線は、その保管区域へ容易に戻すことができる。
【００１７】
好都合なことに、接続装置は、前記接続端部を前記電気的インターフェースに向けて誘導し、船とターミナルの間に電気的連結を提供するための誘導手段を含んでいる。而して、接続は自動的に行うことができる。
【００１８】
更に、接続装置は、前記接続端部を含む電力線の端末部分を支持するための艀を含んでいてもよく、この艀は、船の船体との接触に対する防護手段を含んでいる。
【００１９】
而して、電力線を、単純且つ極めて安全な方法で接続するために、船の付近まで運ぶことができる。
【００２０】
好都合なことに、前記艀の船体は、電力線の前記端末部分を艀の下に格納できるようにする開口部を含んでいる。
【００２１】
而して、電力線を支持することが、より容易になり、安全性が高められる。
【００２２】
或る特定の態様では、電力線の前記端末部分は、艀に格納され、二重壁の被覆を含んでいる。
【００２３】
而して、電力線の頭上部は、潜在的起爆性を有する大気による危険から防護することができる。更に、二重壁の被覆は、電力線の導電体を流体（例えば、水）で冷却することができるようにしている。
【００２４】
別の特定の態様によれば、前記艀は、電力線の水上部分を取り囲むガスケットを含み、且つ、船の船体、艀の船体、及び水面と協働して外側に対して気密性を有する区域を形成するケーソンを含んでいる。
【００２５】
これは、電力線の水上部分を、潜在的起爆性を有する大気から隔離して、接続を行う間の安全性を高めることができるようにする。
【００２６】
好都合なことに、接続は、前記気密区域の圧力を上昇させるための、船又は艀に設置された送風機を含んでおり、前記送風機は、ガスを含んでいない区域から空気を取り込んでいる。従って、安全性は更に向上する。
【００２７】
接続装置は、前記気密区域に不活性ガスを充填するための不活性ガス源を含んでいてもよい。
【００２８】
牽引手段は、牽引ケーブルを使用して前記電力線の接続端部を引っ張るための、船に設置されたウィンチを備えていてもよい。
【００２９】
好都合なことに、牽引手段は、前記電力線の重量を相殺するための懸垂手段を含んでいる。
【００３０】
更に、本発明は、ターミナルと電気的に連結するための電気的インターフェースを含んでいる船を提供しており、この船は、
牽引ケーブルをターミナルに接続されている電力線の接続端部に向けて巻き出すための巻き出し手段と、
前記牽引ケーブルを前記接続端部に縛るための捕縛手段と、
前記接続端部を前記電気的インターフェースと接続するために、前記電力線を船に向けて引っ張るための牽引手段と、を備えている。
【００３１】
或る実施形態では、船の船体は、電力線を通すための管路を含んでおり、前記管路は吃水線より下で開口している。
【００３２】
而して、吃水線より下で開口していることにより、管路は起爆性を有する大気から電力線を防護する働きをする。
【００３３】
好都合なことに、牽引ケーブルの端部は、水中ブイを含んでいる。
【００３４】
而して、水中ブイが管路の開口部を通過すると、牽引ケーブルの端部は、前記電力線の接続端部と接続することができる表面まで容易に戻すことができる。
【００３５】
別の実施形態では、船の船体は、電力線を通すための、吃水線より下方で開口している管路を含んでおり、管路は対ガス気密覆いによって延長されている。
【００３６】
好都合なことに、前記管路は水密防護ハッチを含んでいる。
【００３７】
好都合なことに、船は、前記電力線の前記接続端部を電気的接続インターフェースのソケット手段に向けて誘導するためのドッキング手段を含む誘導手段を含んでいる。これによって、接続が、迅速に且つ全く安全に行えるようになる。
【００３８】
前記電気的接続インターフェースは、水密防護覆いを含んでいてもよい。
【００３９】
好都合なことに、船は、船の水密扉を通ってアクセスできる制御ステーションを含んでいる。
【００４０】
具体的には、船は、メタンタンカーであってもよい。
【００４１】
本発明は、更に、船をターミナルに接続するために電力線を備えている電気的連結装置を提供しており、この装置は、前記電力線の少なくとも一部を、ターミナルと船の間を運搬される間、水面より下に保持するための浮き手段を備えている。
【００４２】
更に、本発明は、船とターミナルの間に電力線を接続する方法を提供しており、この方法は、以下に示す、
牽引ケーブルを船から前記電力線の接続端部に向けて巻き出す段階と、
前記牽引ケーブルを前記接続端部に縛る段階と、
前記電力線を船に向けて引っ張る段階と、
船とターミナルの間に電気的連結を提供するために、前記電力線の前記接続端部を船の電気的インターフェースと接続する段階と、を含んでいる。
【００４３】
好都合なことに、牽引段階の間、電力線の少なくとも一部分は、水面より下に保持されている。
【発明を実施するための最良の形態】
【００４４】
本発明の方法及び装置のこの他の特徴及び利点は、添付図面を参照しながら以下の説明を読んで頂けば明らかになるであろうが、この説明は、制限を課すことを目的とするものではない。
【００４５】
本発明によれば、図１は、船３とターミナル５の間に電力線１を接続するための装置の極めて図式化された図である。
【００４６】
接続装置は、巻き出し手段７、捕縛手段９、及び牽引手段１１を備えている。
【００４７】
巻き出し手段７は、船３から、電力線のコネクタ１５ａを含む接続端部１５に向けて牽引ケーブル１３を巻き出すためのものである。電力線１は、複数の電力接続ケーブルを備えていてもよく、ターミナル５で保管区域に収納されていてもよい。電気を送るための電力線１の容量は、３０ＭＷまで大きくできることに留意されたい。
【００４８】
捕縛手段９は、牽引ケーブルを電力線１の接続端部１５に縛るためのものである。
【００４９】
牽引手段１１は、牽引ケーブル１３を使用して、電力線１を船３の接続点又は区域１７に向けて引っ張り、接続端部１５を電気的インターフェース１７ａに接続するように設計されている。これによって、船３とターミナル５の間を電気的に連結できるようになる。
【００５０】
更に、この電気的連結は、牽引ケーブルの自由端１３を巻き出し、解放することで、迅速且つ簡単に切断することができる。これによって、ターミナル５から船３を完全に解放することができる。
【００５１】
図２は、船３とターミナル５の間に電力線１を接続するための装置であり、電力線１が水中に位置している装置の実施形態を示す、極めて図式化された図である。
【００５２】
この例の電気的接続又は連結装置は、電力線１の少なくとも一部分を、ターミナル５と船３の間を運搬されている間、水の自由表面２３の下に保持するための浮き手段２１、例えば一連の浮き２１、を含んでいる。
【００５３】
而して、電力線は、水中にあるため、例えば、ターミナル５がガスターミナルで、及び／又は船３がメタンタンカーである場合の様な、潜在的な起爆性がある大気中での作業に伴う危険性に曝されることがなくなる。
【００５４】
更に、この例の接続装置は、巻き出し手段７及び捕縛手段９に相当する水先ボート２５を含んでいる。
【００５５】
而して、接続するために実行される操作は、係船索の取付又は投捨に必要な操作の様に簡単であり、追加の乗組員を必要とするものではない。
【００５６】
図３は、戻し手段２７及び艀３１を更に含んでいる点で図２の装置とは異なる、接続装置の別の例の極めて図式化された図である。
【００５７】
好都合なことに、戻し手段２７は、電力線１が船から切断され、牽引ケーブル１３が解放された時に、電力線１をターミナル５まで戻すように設計されている。戻し手段２７は、（図示のような）戻りケーブル２７、又はボート２５の使用、又は浮き手段２１又は艀３１の上にある推進手段（図示せず）の使用に相当する。
【００５８】
艀３１は、接続端部１５を含む電力線１の端末部分３３を支持する働きをする。而して、艀３１は、電力線１の端末部分３３の最後部の水上部分を支持するための支持手段３４を含んでいてもよい。
【００５９】
更に、艀３１は、艀が船３の船体３７の接触に耐えることができるようにする防護手段３５又はフェンダーを含んでいてもよい。
【００６０】
艀３１の上に格納されている電力線１の端末部分３３は、随意的に、二重壁被覆を含んでいてもよい。
【００６１】
潜在的起爆性を有する大気中における危険性を回避するために、電力線１の水上の端末部分３３には、随意的に、図４に示すように、二重壁の被覆３６を設けてもよい。外側に対する２つの防護壁を作り出すことに加えて、二重壁被覆３６は、好都合なことに、電力線１の導電体を水又は何らかの他の流体で冷やすことができるようにする。
【００６２】
或る変形例では（図６Ａ及び６Ｂ参照）、艀３１の船体は、電力線１の端末部分３３を艀３１の下に保管できるようにする開口部を含んでいてもよい。この構成では、支持手段３４を簡略化、又は省略することもできる。
【００６３】
図５Ａから図５Ｄは、図３の接続装置を使用する時の、船３とターミナル５の間の様々な接続又は切断段階を示している。
【００６４】
図５Ａは、ボート２５が、牽引ケーブル１３を電力線１の接続端部１５に固定するために、船３から艀３１に牽引ケーブル１３を運ぶ最初の段階を示している。
【００６５】
図５Ｂは、艀３１と水中の電力線を支持している浮き２１とを、保管機器から船３に向けて引っ張る段階を示している。牽引手段１１は、電力線１の接続端部１５を、牽引ケーブル１３を介して引っ張るための、船３に設置されているウィンチ（図７Ａ参照）を備えていてもよい。而して、牽引段階の間、電力線１の少なくとも一部分は、水面２３の下に保持される。この段階は、単なる従来からの係留中に弛みを無くす作業に類似していることに留意されたい。
【００６６】
図５Ｃは、船３とターミナル５の間に電気的連結を確立する段階を示している。この段階では、牽引ケーブル１３は、艀３１が船３の船体３７に当たるまで、電力線１の接続端部１５を引っ張り、コネクタ１５ａが、船３の電気的インターフェース１７ａに接続される。
【００６７】
更に、船３とターミナル５の間の切断又は連結解除は、単に、電力線１の接続端部１５を、電気的インターフェース１７ａから、そして牽引ケーブル１３から解放することで、簡単に行うことができる。その後、艀３１と電力線１を支持する浮き２１は、例えば戻しケーブル２７の様な戻し手段２７によって保管区域に向けて戻すことができる。或る変形例では、艀３１と浮き２１は、ボート２５又は艀３１に装備されている推進手段（図示せず）によって戻すことができる。
【００６８】
接続及び切断作業は、従来式の係留作業に類似しており、係留操作を実行する水先案内人及び乗組員によって行えることに留意されたい。
【００６９】
図５Ｄは、迅速な切断段階を示している。緊急の際には、接続端部１５が解放されると、牽引ケーブル１３が投げ捨てられ、電力線１の水上部分を、艀３１の支持手段３４の上に落下させることができるようになる。
【００７０】
而して、緊急の際には、牽引ケーブル１３の端部１３ａを巻き出し、次いで解放することにより、船３を、非常に短時間（数分）でターミナル５から完全に解放することができる。その後、戻し手段２７は、電力線１を船３から離れる方向に動かすことができる。
【００７１】
図６Ａは、特に、電力線１の水上部分を、潜在的起爆性を有する大気から隔離する必要性を満たす働きをする艀３１の変形例を示している。
【００７２】
この例では、艀３１は、ガスケット６３を備えている気密ケーソン６１を含んでおり、ケーソン６１は、電力線１の水上、又は端末部分３３を取り囲んでいる。而して、ケーソン６１は、船３の船体３７、艀３１の船体６５、及び水面２３と協働して、外側に対して気密性を有する気密区域又は密閉容積６７を形成している。
【００７３】
随意的に、起爆性を有する大気の危険性に対する更により効果的な防護性を得るために、船３又は艀３１に設置された送風機（図示せず）を使用することもできる。送風機は、ガスの無い区域から空気を取り込み、気密区域６７を僅かに高圧に保つように設計されている。
【００７４】
別の解決策は、この機能を、窒素のような不活性ガスの供給源を使用して、気密区域６７を不活性ガスで満たすことによって行うことである。この様な不活性ガスは、船３の船上で、又は艀３１の船上で、又はターミナル５から調達することができる。
【００７５】
この例は、牽引手段１１が、ケーブル１３を使って電力線１の接続端部１５を引っ張るためのウィンチ４５を含んでいることを示している。
【００７６】
随意的に、牽引手段１１は、電力線１の重量を相殺するための懸垂手段６９を含んでいてもよい。
【００７７】
懸垂手段６９は、錘又はばね７１に接続された懸垂システムを用いて電力線１の重量を相殺することによって、操作をやり易くするように働く。
【００７８】
図６Ａの例の構成において、電力線１が艀３１の下に格納されているのは、好都合である。
【００７９】
図６Ｂは、艀３１の船体に開口部７３が設けられているか、又は艀３１が双胴船で、電力線１を、艀３１の下に懸垂して格納することができるようになっていることを示している。
【００８０】
図６Ｃは、艀３１が、電力線１を防護し格納できるだけの容積をケーソンの内側で且つ水から出ている部分に備えている気密ケーソン６１ａを有しているという事実だけが、図６Ａの艀とは異なっている、艀３１の別の変形例を示している。而して、艀３１を船に横付けし、電力線１を作動させている時、気密ケーソン６１ａは、潜在的起爆性を有する大気に対する防護性を提供することができる。
【００８１】
図７Ａは、船３の船上の接続区域１７をより詳細に示している。この例は、接続装置が、接続端部１５を船３の電気的インターフェース１７ａまで誘導し、接続して、船３とターミナル５の間に自動的に電気的連結を提供することができるようにする、４１ａから４１ｄまでの誘導手段を含んでいてもよいことを示している。
【００８２】
接続区域１７は、船３の船体３７の開口部４３と一致していてもよく、ウィンチ４５、誘導手段４１ａから４１ｄ、電気的インターフェース１７ａ、及び制御端末４７を備えている牽引手段１１を含んでいる。
【００８３】
例示する目的で、この図は、電力線１が２つの電気ケーブルを有しており、その端部がケーブル１３に作用するウィンチ４５によって引っ張られている状態を示している。当然ながら、電力線は、任意の数の電気ケーブルを備えていてもよい。
【００８４】
制御ステーション４７は、水密ドア４９を通ってアクセスすることができ、乗組員５０が、接続又は切断作業を制御するためにウィンチ４５を操作することができるようになっている。
【００８５】
誘導手段４１ａから４１ｄは、コネクタ１５ａをソケット手段５１に接続するために、接続端部１５を電気的インターフェース１７ａのソケット手段５１に向けて最終的に機械的に誘導する、雄型及び雌型のドッキング手段、４１ｂ、４１ａを含んでいてもよい。
【００８６】
随意的に、誘導手段４１ａから４１ｄは、コネクタ１５ａをソケット手段５１の中に誘導し中心合わせし易くするための中間滑車４１ｃと傾斜台４１ｄを含んでいてもよい。
【００８７】
更に、船体３７の開口部４３に水密閉鎖覆い５３を設けて、電気的インターフェース１７ａが作動していない時は、開口部４３を閉じることができるようにしてもよい。
【００８８】
図７Ｂは、接続区域１７が、船３の内側に位置しているという事実に関して図７Ａの実施形態と異なっている、別の実施形態を示している。
【００８９】
この例では、船３の船体３７は、電力線１を通すために管路８１を含んでいる。この管路８１に水密閉鎖ハッチ５４を設けて、電気的インターフェース１７ａが作動していない時は、管路８１を閉じることができるようにしてもよい。
【００９０】
先に述べたように、誘導手段４１ａから４１ｄは、コネクタ１５ａをソケット手段５１に接続するために、接続端部１５を電気的インターフェース１７ａのソケット手段５１に向けて最終的に機械的に誘導する、雄型及び雌型のドッキング手段、４１ｂ、４１ａを備えていてもよい。
【００９１】
この例では、電気的インターフェース１７ａの雌型ドッキング手段４１ａは、管路８１を実質的に垂直方向に保ったままで、電力線１の接続端部１５を受けるように配置されている。
【００９２】
図８Ａは、電力線１を通すための、吃水線２３より下で開口している管路８１を含む船体３７を備えている船３を示している図である。
【００９３】
電力線１は、船の船体３７の内側からウィンチ４５で気密管路８１を通るように引っ張ることができ、管路８１は、送風機８３で空気又は窒素の加圧状態にされていてもよい。管路８１の開口部８１ａが吃水線２３より下に位置しているおかげで、如何なる起爆性を有する大気に対しても電力線１を防護することができるようになっている。
【００９４】
この構成では、牽引ケーブル１３の端部には水中ブイが設けられていて、開口部８１ａを通過したら、牽引ケーブル１３のこの端部を、ボートの乗組員が電力線１の接続端部１５に接続することができる面まで持って行くことができるようになっていることに留意されたい。
【００９５】
図８Ｂは、船３が航海中には、牽引ケーブル１３の端部１３ａを、多分ブイ８５を取り付けた状態で、船３の一方の側の上に置いておけることを示している。接続を確立したい時には、この端部１３ａは、電力線１の接続端部１５との接続のために、ボートに向けて送られ、管路８１の開口部８１ａが吃水線より下にある時でも、電力線１を所定の位置に設置できるようになっている。
【００９６】
図８Ｃは、図８Ａの変形例を示している。この例では、船３の船体３７が、電力線１を通すための管路９１を含んでおり、管路９１は、吃水線２３より下で開口している。この例では、管路９１の外側にある電力線１の端末部分３３は、管路９１を延長する可撓性のガス気密覆い９３によって、或いは（図６Ａに示す）ケーソン６１又は（図６Ｃに示す）ケーソン６１ａによって、潜在的起爆性を有する大気から防護することができるようになっている。
【００９７】
図８Ａから図８Ｃに示す構成では、電力線１の誘導は、部分的には管路８１又は９１によって保証されているので、簡素化されていることに留意されたい。
【００９８】
而して、本発明によれば、電力線１は、船３にターミナル５から、又は逆に船３からターミナル５に、電力を供給できるように作られている。
【００９９】
船３（例えば、メタンタンカー）は、ターミナル５に電力線１を介して電力を供給するための発電機（図示せず）を含んでいてもよい。而して、船３の発電機によって作り出されたエネルギーの一部分は、ガスターミナル５へ供給することができる。
【０１００】
好都合なことに、本発明は、係留と同様に容易に設置することができる電気的接続手段を提供している。
【０１０１】
これらの電気的接続手段は、以下に示す様な利点、即ち、
接続及び切断作業に必要な時間は約１５分未満である、
操作は、係船索の設置又は投捨に必要な作業と同様に容易であり、要員の追加を必要としない、
約３０ＭＷの電力を交換できる容量を有している、及び
メタンタンカーとターミナルに適用される安全要件に適合する、という利点を備えている。
【図面の簡単な説明】
【０１０２】
【図１】船とターミナルの間に電力線を接続するための本発明の装置の極めて図式化された図である。
【図２】図１の接続装置の実施形態の極めて図式化された図である。
【図３】図１の接続装置の実施形態の極めて図式化された図である。
【図４】図１の電力線の端末部分の極めて図式化された図である。
【図５Ａ】図３の接続装置を使用して船とターミナルの間を接続又は切断する間の或る段階を示している。
【図５Ｂ】図３の接続装置を使用して船とターミナルの間を接続又は切断する間の別の段階を示している。
【図５Ｃ】図３の接続装置を使用して船とターミナルの間を接続又は切断する間の別の段階を示している。
【図５Ｄ】図３の接続装置を使用して船とターミナルの間を接続又は切断する間の別の段階を示している。
【図６Ａ】本発明の接続装置の艀の或る変形例を示している極めて図式化された図である。
【図６Ｂ】本発明の接続装置の艀の別の変形例を示している極めて図式化された図である。
【図６Ｃ】本発明の接続装置の艀の別の変形例を示している極めて図式化された図である。
【図７Ａ】本発明の船上の接続区域の或る変形例の極めて図式化された図である。
【図７Ｂ】本発明の船上の接続区域の別の変形例の極めて図式化された図である。
【図８Ａ】本発明の船の船体内の、電力線を通すための管路の変形例の極めて図式化された図である。
【図８Ｂ】本発明の船の船体内の、電力線を通すための管路の変形例の極めて図式化された図である。
【図８Ｃ】本発明の船の船体内の、電力線を通すための管路の別の変形例の極めて図式化された図である。
【図９】船とターミナルの間に電力線を接続するための先行技術の装置の極めて図式化された図である。
【図１】
0005417165.tif 000002
【図２】
0005417165.tif 000003
【図３】
0005417165.tif 000004
【図４】
0005417165.tif 000005
【図５Ａ】
0005417165.tif 000006
【図５Ｂ】
0005417165.tif 000007
【図５Ｃ】
0005417165.tif 000008
【図５Ｄ】
0005417165.tif 000009
【図６Ａ】
0005417165.tif 000010
【図６Ｂ】
0005417165.tif 000011
【図６Ｃ】
0005417165.tif 000012
【図７Ａ】
0005417165.tif 000013
【図７Ｂ】
0005417165.tif 000014
【図８Ａ】
0005417165.tif 000015
【図８Ｂ】
0005417165.tif 000016
【図８Ｃ】
0005417165.tif 000017
【図９】
0005417165.tif 000018